(57)【要約】【課題】  定着装置から定着フィルムを交換する作業を簡易化させる。【解決手段】  フランジ部１１４を加圧板１１３に固定、保持させる。加圧板１１３をＡ方向へ回動させることにより定着フィルム１０１を加圧ローラ１０６に向けて加圧する状態を解除する。この加圧解除動作に伴いフランジ部１１４が定着フィルム１０１から退避する。従って、フランジ部１１４をフィルムユニット１１１から別途取り外す作業が不要となる。【選択図】  図１
2015118178.tif 000002
【特許請求の範囲】
【請求項１】
シート上のトナー像をニップ部にて加熱するエンドレスベルトと、
前記エンドレスベルトと協働して前記ニップ部を形成するとともに前記エンドレスベルトを駆動する駆動回転体と、
前記エンドレスベルトを前記駆動回転体に向けて押圧する押圧機構と、
前記エンドレスベルトがその長手方向へ移動するのを規制するフランジ部であって、前記押圧機構による押圧解除動作に伴い前記エンドレスベルトから退避するフランジ部と、
を有することを特徴とする画像加熱装置。
【請求項２】
前記フランジ部は前記押圧機構に固定されていることを特徴とする請求項１の画像加熱装置。
【請求項３】
シートにトナー像を形成する画像形成部と、請求項１又は２の画像加熱装置と、前記画像加熱装置を露出させることが可能な開閉扉と、前記開閉扉の開動作に連動して前記押圧機構による押圧解除動作を連動させる連動機構と、を有することを特徴とする画像形成装置。
【発明の詳細な説明】
【技術分野】
【０００１】
本発明は、シート上のトナー像を加熱する画像加熱装置及びこれを備えた画像形成装置に関する。
【背景技術】
【０００２】
電子写真式の画像形成装置には、電子写真プロセスを用いて記録材（シート）に形成されたトナー像を加熱及び加圧することにより定着させる定着装置（画像加熱装置）が搭載されている。
【０００３】
このような定着装置として、定着ベルト（エンドレスベルト）を用いたものが提案されている（特許文献１）。この特許文献１に提案されている定着装置では、定着ベルトを加圧ローラ（駆動回転体）により駆動する構成を採用している。そして、この定着装置では、フランジ部を設け、定着ベルトがこのフランジ部と突き当たることにより、それ以上、定着ベルトがその長手方向へ移動するのを防止する構成を採用している。
【先行技術文献】
【特許文献】
【０００４】
【特許文献１】特開２０１２−１７７８９９号公報
【発明の概要】
【発明が解決しようとする課題】
【０００５】
このような定着装置において、定着装置から定着ベルトを取り出して新品に交換できるようにすることが求められている。
【０００６】
しかしながら、従来の定着装置では、定着ベルトを交換する際には、操作者が上述したフランジ部を取り外し、フランジ部が取り外された側から定着ベルトを引き抜く構成となっている。従って、操作者は、定着ベルトを引き抜く前に、フランジ部を取り外す作業を強いられ、交換作業が煩わしいものとなっていることから、このような交換作業工程には改善の余地がある。
【０００７】
そこで、本発明の目的は、エンドレスベルトの交換作業を簡易化することができる画像加熱装置を提供することである。
【課題を解決するための手段】
【０００８】
本発明は、シート上のトナー像をニップ部にて加熱するエンドレスベルトと、
前記エンドレスベルトと協働して前記ニップ部を形成するとともに前記エンドレスベルトを駆動する駆動回転体と、
前記エンドレスベルトを前記駆動回転体に向けて押圧する押圧機構と、
前記エンドレスベルトがその長手方向へ移動するのを規制するフランジ部であって、前記押圧機構による押圧解除動作に伴い前記エンドレスベルトから退避するフランジ部と、
を有することを特徴とするものである。
【発明の効果】
【０００９】
本発明によれば、エンドレスベルトの交換作業を簡易化することができる。
【図面の簡単な説明】
【００１０】
【図１】定着装置の斜視図である。
【図２】画像形成装置の断面図である。
【図３】（ａ）は定着装置の断面図、（ｂ）は定着装置の側面図である。
【図４】（ａ）、（ｂ）はフィルムユニットと加圧ローラを加圧する加圧機構を示す図である。
【図５】（ａ）、（ｂ）はフィルムユニットと加圧ローラを加圧する加圧機構を示す斜視図である。
【図６】（ａ）、（ｂ）はフィルム端部規制部材の形状を示す図である。
【図７】扉の開閉と加圧解除動作を連動させるリンク機構を示す図である。
【図８】扉の開閉と加圧解除動作を連動させるリンク機構を示す図である。
【図９】扉の開閉と加圧解除動作を連動させるリンク機構を示す図である。
【発明を実施するための形態】
【００１１】
本発明を適用することができる画像加熱装置として定着装置を例に、以下、詳細に説明する。
【００１２】
（実施例１）
まず、画像形成装置の概要について説明する。図２は定着装置が搭載された画像形成装置５００の断面図である。
【００１３】
（画像形成部）
画像形成装置には、個の画像形成部７ａ〜７ｄが中間転写ベルト５の移動方向に沿って並設されており、それぞれ、感光体（１ａ〜１ｄ）を有する感光体ユニット（２６ａ〜２６ｄ）と、現像ユニット（４ａ〜４ｄ）を備えている。画像形成部７ａ〜７ｄの構成は、共通であることから、以下、画像形成プロセスにおいて画像形成部７ａを例に説明する。
【００１４】
感光体１ａは、駆動モータによって、図２中の時計回り（Ｑ方向）に回転駆動される。また、感光体１ａの周囲には、その回転方向の順に、帯電器２ａ、現像ユニット４ａ、クリーナ６ａが配置されている。
【００１５】
帯電器２ａは、感光体１ａの表面を所定の極性の電位（本例では−６００Ｖ）にほぼ均一帯電するものである。帯電器２ａによって感光体１ａの表面が帯電された後、スキャナユニット（露光手段）３からユニット開口３２ａを通じて、感光体１ａの表面にレーザ光が露光される。これにより、原稿画像に応じた静電潜像が感光体１ａの表面に形成される。尚、本例においては、スキャナユニット３は、画像形成部７の下方に配置されている。
【００１６】
そして、現像ユニット４ａは、感光体１ａの上に形成された静電潜像にトナーを供給して、静電潜像をトナー像として現像する。現像ユニット４ａは、感光体１ａにトナーを供給する現像ローラ２５ａと、現像ローラ２５ａに当接して現像ローラ２５にトナーを供給する供給ローラ３４ａが備えられている。
【００１７】
クリーナ６ａは、感光体１ａから中間転写ベルト５へトナー像を転写した後、感光体１ａ上に残留したトナーを除去するものである。クリーナ６ａによって除去されたトナーは、感光体２６ａ内の除去トナー室に搬送、回収される。
【００１８】
中間転写ベルト５は、駆動ローラ１０、テンションローラ１１に張架され、図２中の矢印Ｒ方向に回転駆動される。また、各感光体ドラム１ａ〜１ｄに対向して、中間転写ベルト５の内側に一次転写ローラ１２ａ〜１２ｄが配設されており、不図示のバイアス印加手段により一次転写バイアスが印加される構成となっている。
【００１９】
例えば、負極性に帯電したトナーを用いる場合は、一次転写ローラ１２ａ〜１２ｄに正極性のバイアスを印加することにより、中間転写ベルト５上に各色のトナー像が順次重ねて一次転写される。そして、中間転写ベルト５上に転写されたトナー像は二次転写部１５へ搬送される。
【００２０】
一方、上述の画像形成動作と同期して、給送装置１３やレジストローラ対１７等からなる搬送機構によって記録材（シート）Ｓが二次転写部１５に向けて給送される。
【００２１】
この給送装置１３は、複数の記録材Ｓを収納する給送カセット２４と、記録材Ｓを給送する給送ローラ８と、給送された記録材Ｓを搬送する搬送ローラ対１６とを有している。
【００２２】
給送カセット２４は、画像形成装置５００から引き出し自在に構成されており、ユーザにより記録材の補充が適宜行われる。
【００２３】
給送カセット２４に収納された記録材Ｓのうち、最上位に位置する記録材Ｓには、給送ローラ８が圧接し、給送ローラ８の回転とともに分離パッド９によって一枚ずつ分離されて記録材Ｓが搬送される。
【００２４】
そして、給送装置１３から搬送された記録材Ｓは、レジストローラ対１７によって二次転写部１５へ搬送される。
【００２５】
二次転写部１５においては、二次転写ローラ１８に正極性のバイアスを印加することにより、中間転写ベルト５から記録材Ｓにトナー像が一括して二次転写される。
【００２６】
この際、二次転写後に中間転写ベルト５上に残ったトナーは、ベルトクリーナ２３によって除去され、除去されたトナーは廃トナー回収容器に回収される。
【００２７】
その後、記録材Ｓは二次転写部１５から定着装置４０へと搬送され、定着装置において記録材Ｓ上（シート上）のトナー像を加熱及び加圧することにより、トナー像が記録材に定着される。その後、トナー像が定着された記録材Ｓは、排出ローラ対１９によって排出トレイ２０に排出される。定着装置４０を画像形成装置１に対し着脱する時には、扉４００を開閉することにより、定着装置４０が露出し、アクセス可能となる。
【００２８】
（定着装置）
次に定着装置４０について詳細に説明する。本例の定着装置は、円筒状の薄肉金属（基層）上に弾性層が形成された定着フィルム１０１が用いられている。図３（ａ）は定着装置４０を定着フィルム１０１の長手方向一端側から見た断面図であり、図３（ｂ）は定着装置４０の側面図（図２のＡ−Ａ断面図）である。以下、図３（ａ）、（ｂ）を用いて定着装置４０の構成を説明する。
【００２９】
この定着装置４０は、定着部材（エンドレスべルト）としての円筒状の定着フィルム１０１と、加圧部材（駆動回転体）としての加圧ローラ１０６を備えている。さらに、加熱部材としてのセラミックヒータ１００と、定着フィルムの長手方向の一端側に配置された規制部１０４ａ（他端側にも同様に規制部１０４ｂが設けられている）と、を備えている。この規制部１０４ａ（１０４ｂ）は、定着フィルム１０１の回転をガイドする機能を備えている。また、フランジ部１１４を有し、このフランジ部１１４は、定着フィルム１０１の長手方向一端と突き当たることで、定着フィルム１０１がそれ以上その長手方向へ移動するのを規制する機能を備えている。
【００３０】
そして、定着フィルム１０１を加圧ローラ１０６との間で挟み込むことにより、記録材上のトナー像を定着するためのニップ部Ｎを形成する圧接部材１０３を備えている。この圧接部材１０３には上述したセラミックヒータ１００が固定されており、この圧接部材１０３は裏面側からステー１０２により強固に支持されている。また、セラミックヒータ１００に電力を供給するための電気接点部であるコネクタ１０７ａ，１０７ｂを備えている。
【００３１】
以下、この定着フィルム１０１、セラミックヒータ１００、圧接部材１０３、ステー１０２、規制部１０４ａ，１０４ｂ、コネクタ１０７ａ，１０７ｂを、まとめたものをフィルムユニット１１１と称する。
【００３２】
（定着フィルム）
定着フィルム１０１は、記録材Ｐに熱を伝達する円筒状の耐熱性の定着フィルムであり、圧接部材１０３にルーズに外嵌させてある。定着フィルム１０１は、熱容量を小さくしてクイックスタート性を向上させるために、膜厚が１００μｍ以下、さらには２０μｍ以上５０μｍ以下にするのが好ましい。フィルムの構成としては、耐熱性のあるＰＴＦＥ、ＰＦＡ、ＦＥＰの単層フィルム、あるいはポリイミド、ポリアミドイミド、ＰＥＥＫ、ＰＥＳ、ＰＰＳ等の外周表面にＰＴＦＥ、ＰＦＡ、ＦＥＰ等の離型層をコーティングした複層フィルムにしても良い。また、金属製のものにすることもできる。本例では樹脂製の複層フィルムと採用している。
【００３３】
（加圧ローラ）
加圧ローラ１０６は定着フィルム１０１と協働してニップ部Ｎを形成する機能を有している。加圧ローラ１０６は、金属製の芯金１０６ａと、芯金の外周面に弾性層であるシリコーンゴム、離型層であるフッ素樹脂が順に積層された構造となっている。例えば、離型層はフッ素樹脂、シリコーン樹脂、フルオロシリコーンゴム、フッ素ゴム、シリコーンゴム、ＰＦＡ、ＰＴＦＥ、ＦＥＰ等の離型性かつ耐熱性のよい材料を選択することができる。芯金の両端部にＰＥＥＫ、ＰＰＳ、液晶ポリマー等の耐熱性樹脂よりなる軸受部材１１３ａ，１１３ｂを装着し、これが定着フレーム１１８の側板に保持されている。
【００３４】
（圧接部材）
圧接部材１０３はニップ部Ｎにおける記録材搬送方向に交差する方向を長手方向とする横断面略半円弧状の耐熱性・断熱性の部材である。材質としては、フェノール樹脂、ポリイミド樹脂、ポリアミド樹脂、ポリアミドイミド樹脂、ＰＥＥＫ樹脂、ＰＥＳ樹脂、ＰＰＳ樹脂、ＰＦＡ樹脂、ＰＴＦＥ樹脂、ＬＣＰ樹脂等の絶縁性及び耐熱性の良い材料を用いることができる。
【００３５】
（ステー）
ステー１０２は、比較的柔軟な樹脂製の圧接部材１０３の裏面から支持することで圧接部材１０３をその長手方向に亘って補強する役割を有し、さらに、圧接部材１０３の変形を矯正させる役割を有している。
【００３６】
（規制部）
規制部１０４ａ、１０４ｂは、圧接部材１０３とステー１０２との組立体の両端にはめ込まれ、定着フィルム１０１の回転を案内する。また、一方の規制部１０４ｂは定着フィルム１０１のその長手方向への抜け出しを防止している。ここで、定着フィルム１０１の着脱（挿抜）側にある規制部を１０４ａ、非挿抜側の規制部を１０４ｂとする。図３（ｂ）の破線で示した部分をそれぞれ１０４ａ−ａ，１０４ｂ−ａとし、定着フィルムの回転をガイドする部分である。また、規制部１０４ａ側への定着フィルム１０１の抜出しを防止している部分を１１４、とする。さらに、後述の加圧板１１３ａと当接し、加圧板１１３ａから加圧力を受ける部分を１０４ａ−ａとする。規制部１０４ｂには定着フィルムの抜出しを防止する機能は無い。
【００３７】
図３（ａ）に示すように、定着フィルム１０１において、定着フィルムの外周面１０１ａと内周面１０１ｂとで挟まれる領域（拡大図Ａの斜線部）を、以後、定着フィルムの着脱時の投影範囲と呼ぶこととする。規制部１０４ａの定着フィルムの抜出しを防止している部分（フランジ部）１１４は、この投影範囲内にあるために、定着フィルムの抜出しを防止することが可能となっている。
【００３８】
（セラミックヒータ）
セラミックヒータ１００（以下、ヒータと記す）は、細長薄板状のセラミック基板と、この基板面に具備させた抵抗体層を基本構成とするもので、抵抗体層に対する通電により全体に急峻な立ち上がり特性で昇温する、低熱容量のヒータである。このヒータ１００は、圧接部材１０３の下面に長手方向に沿って具備された嵌め込み溝１０３ｃ内に嵌め込まれ支持される。
【００３９】
（加圧機構）
次に、フィルムユニット１１１と加圧ローラ１０６とを加圧する加圧機構（押圧機構）について図４（ａ）、図４（ｂ）を用いて説明する。図４（ａ）、（ｂ）は定着装置４０を定着フィルム１０１のスラスト方向から見た断面図を表している。
【００４０】
加圧機構は、図４（ａ）に示された支点Ａを中心に矢印Ｂ方向に回転可能に支持されている加圧板１１３ａと、圧縮バネである加圧バネ１１６ａを有し、加圧板１１３ａは加圧バネ１１６ａから矢印Ｃ方向に力を受けている。
【００４１】
規制部１０４ａの力受け部１０４ａ−ａに加圧板１１３ａの力付与部１１３ａ−ａから加圧バネ１１６ａのバネ力を与えることで、フィルムユニット１１１が加圧ローラ１０６に向けて加圧（押圧）される。
【００４２】
さらに、加圧機構は、カム１１２ａを有し、このカム１１２ａは定着フレーム１１８に対して回転可能に取り付けられた圧解除軸１１５に勘合保持されている。加圧状態においてはカム１１２ａのカム面１１２ａ−ａは加圧板１１３ａの１１３ａ−ａ面には接触していない状態である。
【００４３】
次に、フィルムユニット１１１と加圧ローラ１０６とが加圧解除（押圧解除）された状態について、定着装置４０を定着フィルム１０１のスラスト方向から見た断面図である図４（ｂ）を用いて説明する。
【００４４】
図４（ｂ）では、図４（ａ）で示した加圧状態とは異なり、カム１１２ａは圧解除軸１１５を中心にして、カム１１２ａのカム面１１２ａ−ａが加圧板１１３ａの１１３ａ−ａ面をＤ方向に押し上げるように矢印Ｂ方向に回転する。加圧バネ１１６ａからのバネ力をカム１１２ａのカム面１１２ａ−ａが受けることで、規制部１０４ａには加圧バネ１１６ａからのバネ力が掛からない状態になり、加圧解除された状態となっている。またこの加圧機構についてはフィルムユニット１１１を挟んで長手方向他端側にも同様に設けられている。つまり、圧解除軸１１５は定着フィルムの長手方向両端側に設置された２つのカムに関して共通となっている。
【００４５】
（加圧機構とフランジ部の関係）
次に、定着装置４０の斜視図を示す５（ａ），（ｂ）を用いて、加圧板１１３ａとフランジ部１１４との関係について説明する。
【００４６】
フランジ部１１４は、加圧板１１３ａの１１３ａ−ｂ面に、固定／保持されている。従って、圧解除軸１１５を回転中心として加圧板１１３ａが矢印Ａ方向に回転した場合には、フランジ部１１４は加圧板１１３ａと共に一体的に回転する。
【００４７】
定着装置４０が画像形成装置１の内部に装着されている時には、フランジ１１４ａが溝部１０４ａ−ｂに係合するように（図５（ａ）のように）構成されている。フランジ部１１４の１１４ａは規制部１０４ａの溝部１０４ａ−ｂに挿入しやすいようにテーパ形状になっている。
【００４８】
フランジ部１１４が溝１０４ａ−ｂに係合された状態では、定着フィルム１０１の投影範囲にフランジ部１１４が入り込んだ状態となっている。また、コネクタ１０７ａ及び規制部１０４ａは定着フィルム１０１の投影範囲よりも内側に収まるように配置されている。
【００４９】
よって、図５（ｂ）のように、フランジ部１１４は、加圧板１１３ａと共に一体的に回転することにより、定着フィルム１０１の投影範囲から外れた位置へ退避可能となる。
【００５０】
（定着フィルムの交換方法）
図１を用いて、定着装置４０における定着フィルムの交換方法について説明する。図１は画像形成装置１から定着装置４０が取り外された状態を表している。
（１）加圧板１１３ａ，１１３ｂを圧解除軸１１５を中心に矢印Ａ方向に回転させる。この動作によって、フランジ部１１４が加圧板１１３ａと連動して圧解除軸１１５を中心に回転し、定着フィルム１０１の投影範囲よりも外側に退避する。なお、この動作は、定着装置を交換するための扉４００の開動作に伴い、圧解除動作（押圧解除動作）が自動的に行われる。具体的には、扉４００の開動作を検知した際に、ＣＰＵ（コントローラ）が、圧解除軸１１５に連結された駆動モータを駆動させる（圧解除動作）構成となっている。
（２）フィルムユニット１１１を矢印Ｂ方向へ取り外す。
（３）定着フィルム１０１をフィルムユニット１１１から矢印Ｃへ引き抜く。このとき、コネクタ１０７ａやフランジ部１０４ａを別途取り外す作業を行うことなく、定着フィルム１０１をフィルムユニット１１１から取り外すことができる。
【００５１】
なお、新品の定着フィルム１０１を取り付ける際は、取り外し手順とは逆の手順にて作業を行えばよい。つまり、フィルムユニット１１１に対し矢印Ｄ方向へ定着フィルム１０１を挿入し、フィルムユニット１１１を定着装置に装着する。取り付け時にもコネクタ１０７ａやフランジ部１１４を、従来のように、別途取り付ける特別な作業を行う必要がない。
【００５２】
なお、フランジ部１１４の形状としては図６のような形状としても構わない。図６（ａ），（ｂ）はフィルムユニット１１１と加圧ローラ１０６の概略断面図を示している。以上の例では、図６（ａ）示すようにフランジ部１１４が定着フィルム１０１の投影範囲を囲むような形状となっているが、図６（ｂ）に示すように投影範囲の一部にかかっている形状としても良い。但し、画像形成装置１内に定着装置４０が装着されている場合には、加圧状態、加圧解除状態のどちらの状態であってもフランジ部１１４は定着フィルム１０１の投影範囲にかかるように設定されている。
【００５３】
（実施例２）
次に実施例２について説明する。本例では画像形成装置１の扉（開閉扉）４００の開閉動作に伴い加圧解除動作を行わせるための機構が実施例１とは異なり、定着装置４０を露出させるための扉４００と加圧解除機構がメカ的にリンク機構（連動機構）によりリンクされた構造となっている。本例において、実施例１と同じ機能を奏する部分については同符号を付すことにより詳細な説明を省略する。
【００５４】
図７は定着装置４０及び、画像形成装置１に開閉可能に取り付けられた扉４００の斜視図を表している。図７は、扉４００が閉じた状態を示している。
【００５５】
（リンク機構）
加圧バネ３０１ｂ（図７の紙面に垂直な方向において逆側にも加圧バネ３０１ａが設けられている）は、両端が定着フレーム１１８に支持された軸３０２ｂとリンク部材３０７ｂに支持された軸３０３ｂにフックされて、回転可能に取付けられている。図７の状態では、加圧バネ３０１ｂは軸３０２ｂ−３０３ｂ間で自然長よりも伸ばされた状態である。
【００５６】
扉圧解除軸３０９ｂは、扉４００の開閉動作において、フック３０４ｂが係合する軸であり、加圧板３０６ｂに支持された回動軸３０８ｂによって回転可能に保持されたリンク部材３０７ｂに支持されている。また、回動軸３０５ｂは定着フレーム１１８に支持されており、加圧板３０６ｂを回動軸３０５ｂ中心に回転可能に支持している。この加圧板３０６ｂとリンク部材３０７ｂが回動軸３０８ｂによって回転可能に連結されている。加圧バネ３０１ｂの引張り力により、軸３０３ｂからリンク部材３０７ｂと加圧板３０６ｂには規制部１０４ｂに矢印方向に加圧力を伝えている。なお、扉４００の開閉動作に連動して、フランジ１１４が定着フィルム１０１の投影範囲から逃げる構成は定着フィルム１０１を挟んで、逆サイド側も同様の構成となっている。
【００５７】
（加圧解除動作）
次に、図８を用いて、扉４００を開く動作に連動して加圧された状態を解除していく動作について説明する。
（１）扉４００を、回動軸を中心に矢印Ａ方向に回転させる。つまり、扉を開く。
（２）扉４００を開く動作に伴って、扉４００に固定されたフック３０４ｂが矢印Ｂ方向に移動する。
（３）フック３０４ｂの移動に連動して、扉圧解除軸３０９ｂはフック３０４ｂの引っかけ部３０４ｂ−ａに押されて、回動軸３０８ｂを中心にリンク部材３０７ｂと共に矢印Ｃ方向に回転する（図７⇒図８の状態）。この時、回動軸３０３ｂと３０２ｂとは加圧バネ３０１ｂが自然長になるまで近づき、加圧が解除された状態となる。加圧バネ３０１ｂが自然長になると、リンク部材３０７ｂはそれ以上回動軸３０８ｂを中心に回転しない（加圧バネ３０１ｂがストッパの役割を果たす）。
（４）更に、矢印Ｃ方向にリンク部材３０７ｂを回転させると、自然長になった加圧バネ３０１ｂを保持している軸３０３ｂを回転中心にして、回動軸３０８ｂが矢印Ｃ方向に回転する。この動作に連動して、加圧板３０６ｂが回動軸３０５ｂを中心に矢印Ｄ方向に回転する。
（５）図９に示すように、加圧バネ３０１ｂの端部を回動軸３０３ｂから取外し、加圧板３０６ｂと対向側の３０６ａを矢印Ｄ方向に回転させる。これにより、加圧板３０６ａに固定されたフランジ部１１４は定着フィルム１０１の投影範囲外に退避する。この後の定着フィルム１０１を挿抜する作業は実施例１と同様である。
【００５８】
なお、扉４００を閉める場合には、上述した手順とは逆の手順で各部品が動作し、フック３０４の３０４ｂ−ｂ部が矢印Ｂ方向とは逆向きに扉圧解除軸３０９ｂを押すことで、図７の状態に戻る。なお、定着フィルム１０１を挟んで逆サイド側の構成も同様である。
【００５９】
以上、本発明に係る画像加熱装置として、実施例１、２において定着装置を例に説明したが、適用範囲はこのような形態に限られない。
【００６０】
例えば、記録材に仮定着されたトナー像を再度加圧及び加熱することにより、画像の光沢度を向上させる光沢向上装置にも、本発明を同様に適用することが可能である。
【符号の説明】
【００６１】
１  画像形成装置
４０  定着装置
１０１  定着フィルム
１０４ａ、１０４ｂ  規制部
１０６  加圧ローラ
１１１  フィルムユニット
１１２ａ、１１２ｂ  圧解除カム
１１３ａ、１１３ｂ  加圧板
１１４  フランジ部
１１５  圧解除軸
４００  扉
【図１】
2015118178.tif 000003
【図２】
2015118178.tif 000004
【図３】
2015118178.tif 000005
【図４】
2015118178.tif 000006
【図５】
2015118178.tif 000007
【図６】
2015118178.tif 000008
【図７】
2015118178.tif 000009
【図８】
2015118178.tif 000010
【図９】
2015118178.tif 000011